(57)【要約】【課題】固定具による押圧部位が偏っている場合でもばね性が適正に作用するようにした軒樋支持具を提供する。【解決手段】ロックレバー３０に形成されたばね片３７は、基板部３１の板面よりも下方にかつ突合せ状態となるように対向して突出した被押圧板部３７ａを有し、被押圧板部３７ａの対向した先端部どうしの突合せにより固定具３が挿通される挿通孔３２が形成されており、ロックレバー３０の横回転操作により、ロック状態となったときには、ばね片３７は被押圧板部３７ａがフランジ部３ｂにより押圧されて弾性変形する一方、アンロック状態となっているときには、ばね片３７が復帰状態となる。【選択図】図１
2018003370.tif 000002
【特許請求の範囲】
【請求項１】
建築構造物に固定される取付杆と、該取付杆に対してスライド可能に連結され、板状に形成され長手方向の両端部に樋耳支持部を有した樋支持具本体と、横方向に回動されるロックレバーとを備え、これらを重ねて上下に貫通する固定具で連結し、前記樋支持具本体が前記取付杆に対して前後方向の所望の位置で固定されるようにした軒樋支持具において、
前記固定具は、その両端部に、前記取付杆と前記樋支持具本体と前記ロックレバーとを重合状態で挟持するフランジ部を備えており、
前記ロックレバーは、前記樋支持具本体と略平行に配された基板部と、すくなくとも該基板部の一部を加工してなる一対のばね片とを一体に備えており、
前記ばね片は、前記基板部の板面よりも下方にかつ突合せ状態となるように対向して突出した被押圧板部を有し、該被押圧板部の対向した先端部どうしの突合せにより前記固定具が挿通される挿通孔が形成されており、
前記ロックレバーの回転操作によりロック状態とアンロック状態とに切り替えが自在とされており、
前記ロック状態のときには、前記ばね片は前記被押圧板部が前記フランジ部により押圧されて弾性変形する一方、前記アンロック状態のときには、前記ばね片が復帰状態となることを特徴とする軒樋支持具。
【請求項２】
請求項１において、
前記ロックレバーの前記基板部には、幅方向の端部より下方に折曲延出された一対のレバー部が形成され、該レバー部から前記基板部を介して他のレバー部にいたる開口窓が形成されており、
前記ばね片は、前記被押圧板部の基端部より下方に延び、前記開口窓の前記レバー部側の開口縁に連設された起立部をさらに有し、全体としてＬ字状に一体形成されており、
前記ばね片が復帰状態のときには、前記被押圧板部どうしの突合せ部が山状に突出していることを特徴とする軒樋支持具。
【発明の詳細な説明】
【技術分野】
【０００１】
本発明は、横方向に回転操作してロック／アンロックの切り替えの操作ができるロックレバーを有した軒樋支持具に関する。
【背景技術】
【０００２】
従来、横回転ロック式の軒樋支持具には、ロック状態のときにその状態が強固に保持され得るように、環状の一部が段差状に切れた段差部にばね性を持たせたばね座金が利用されている（たとえば、特許文献１参照）。この軒樋支持具では、ばね座金をボルト頭の裏面またはナットの裏面に配し、ボルト、ナットを螺着して締結することで、段差部がボルト頭、ナット間の挟持により押圧されてばね性を発揮する。
【０００３】
特許文献１に記載された軒樋支持具は、対象部材の締結用の固定具としてリベットが用いられており、ばね座金はリベットのかしめ部側に装着されている。リベットはボルト、ナットとは異なり、半永久的な締結用途に用いられる場合が多く、上記軒樋支持具のように回転操作でロック／アンロックの切り替え操作をするようなものでは、回転操作によりロック状態に移行した場合に弛みが発生することがないリベットを固定具として好適に使用している。
【先行技術文献】
【特許文献】
【０００４】
【特許文献１】特開２００２−３３２７２９号公報
【発明の概要】
【発明が解決しようとする課題】
【０００５】
上述したように、この種のばね座金はボルト、ナットを用いた構造のものでは、ボルト、ナットが不良品でない限り、ばね座金の段差部はボルト、ナットの螺着によりそれらに挟持されたばね座金は確実に押圧されるので、問題なく復帰弾性力が作用する。
【０００６】
これに対して、ばね座金をリベットに使用する場合、かしめ部がリベットハンマーなどの工具を用いて形成されるものであるため、リベットの軸に対して傾いて歪んだ状態に形成される場合もある。つまり、そのような場合には、リベットのかしめ部の裏面は、リベット取り付けの対象部材の面に平行にはならず、一部が浮いた状態になり得る。そのようなかしめ不良があるものについては、フランジ部（かしめ部）の押圧力がばね座金の一部の部位にのみ作用することとなる。したがって、フランジ部がばね座金の段差部を押圧しないおそれもあり、その場合には当然に弾性力は作用しない。よって、ロック状態にあるのに部材間の弛みが発生するおそれがある。
【０００７】
本発明は、このような事情を考慮して提案されたもので、その目的は、固定具による押圧部位が偏っている場合でもばね性が適正に作用するようにした軒樋支持具を提供することにある。
【課題を解決するための手段】
【０００８】
上記目的を達成するために、請求項１に記載の軒樋支持具は、建築構造物に固定される取付杆と、該取付杆に対してスライド可能に連結され、板状に形成され長手方向の両端部に樋耳支持部を有した樋支持具本体と、横方向に回動されるロックレバーとを備え、これらを重ねて上下に貫通する固定具で連結し、樋支持具本体が取付杆に対して前後方向の所望の位置で固定されるようにした軒樋支持具において、固定具は、その両端部に、取付杆と樋支持具本体とロックレバーとを重合状態で挟持するフランジ部を備えており、ロックレバーは、樋支持具本体と略平行に配された基板部と、すくなくとも基板部の一部を加工してなる一対のばね片とを一体に備えており、ばね片は、基板部の板面よりも下方にかつ突合せ状態となるように対向して突出した被押圧板部を有し、被押圧板部の対向した先端部どうしの突合せにより固定具が挿通される挿通孔が形成されており、ロックレバーの回転操作によりロック状態とアンロック状態とに切り替えが自在とされており、ロック状態のときには、ばね片は被押圧板部がフランジ部により押圧されて弾性変形する一方、アンロック状態のときには、ばね片が復帰状態となることを特徴とする。
【０００９】
請求項２に記載の軒樋支持具は、ロックレバーの前記基板部には、幅方向の端部より下方に折曲延出された一対のレバー部が形成され、レバー部から前記基板部を介して他のレバー部にいたる開口窓が形成されており、ばね片は、被押圧板部の基端部より下方に延び、開口窓の前記レバー部側の開口縁に連設された起立部をさらに有し、全体としてＬ字状に一体形成されており、ばね片が復帰状態のときには、被押圧板部どうしの突合せ部が山状に突出していることを特徴とする。
【発明の効果】
【００１０】
請求項１に記載の軒樋支持具は上述の構成となっているため、固定具が一対のばね片を均等に押圧できず偏った部位のみを押圧する場合でも、いずれかのばね片が押圧され弾性変形して復帰弾性力が作用する。そのため、ロック状態の場合に、弛みによるずれが発生するおそれがない。
【００１１】
請求項２に記載の軒樋支持具は上述の構成となっているため、ばね片の形成を容易にでき、軒樋支持具の製造の手間もそれほどかからない。また、ばね片がＬ字状に形成されているので、基部である起立部を変形のための逃げ部のように作用させることができ、被押圧板部を変形させやすくできる。
【図面の簡単な説明】
【００１２】
【図１】本発明の一実施形態に係る軒樋支持具の分解斜視図である。
【図２】（ａ）は軒樋支持具に用いられるロックレバーの展開図、（ｂ）は同平面図、（ｃ）は同底面図である。
【図３】（ａ）（ｂ）は、ロックレバーの変化態様の説明図であり、図２（ｂ）におけるＡ−Ａ線の拡大断面図である。
【図４】軒樋支持具の要部を拡大した概略底面図である。（ａ）はロック状態、（ｂ）はアンロック状態の図である。
【図５】軒樋支持具の要部を拡大した概略縦断面図である。（ａ）はロック状態、（ｂ）はアンロック状態の図である。
【発明を実施するための形態】
【００１３】
以下に、本発明の実施の形態に係る軒樋支持具について、添付図面にもとづいて説明する。まず、図１に示した軒樋支持具１の基本構成について説明する。
【００１４】
この軒樋支持具１は、建築構造物に固定される取付杆１０と、取付杆１０に対してスライド可能に連結され、板状に形成され長手方向の両端部に樋耳支持部２２を有した樋支持具本体２０と、横方向に回動されるロックレバー３０とを備えている。軒樋支持具１は、これらの部材を重ねて上下に貫通する固定具３で連結し、樋支持具本体２０が取付杆１０に対して前後方向の所望の位置で固定されるようになっている。
【００１５】
固定具３は、その両端部に、取付杆１０と樋支持具本体２０とロックレバー３０とを重合状態で挟持するフランジ部３ａ、３ｂを備えている。ロックレバー３０は、樋支持具本体２０と略平行に配された基板部３１と、すくなくとも基板部３１の一部を加工してなる一対のばね片３７とを一体に備えている。このばね片３７は、基板部３１の板面よりも下方にかつ突合せ状態となるように対向して突出した被押圧板部３７ａを有し、被押圧板部３７ａの対向した先端部３７ｃどうしの突合せにより固定具３が挿通される挿通孔３２が形成されている。
【００１６】
この軒樋支持具１は、ロックレバー３０の横回転操作によりロック状態とアンロック状態とに切り替えが自在とされており、ロック状態のときには、ばね片３７は被押圧板部３７ａがフランジ部３ｂにより押圧されて弾性変形する一方、アンロック状態のときには、ばね片３７が復帰状態となる。
【００１７】
このような構成によれば、一対のばね片３７が挿通孔３２をはさんで突合せ状態となっているため、固定具３が一対のばね片３７を均等に押圧できず偏った部位のみを押圧する場合でも、いずれかのばね片３７が押圧され弾性変形して弾性力が作用する。そのため、ロック状態の場合に部材間の弛みが発生するおそれはなく、よってロック状態でずれが発生するおそれはない。
【００１８】
以下に、この軒樋支持具１の構成および作用効果について、図１〜図５を参照しながら説明する。
【００１９】
軒樋支持具１を構成する主要部材である、取付杆１０、樋支持具本体２０、ストッパー座金４０、ロックレバー３０の４部材は、上から上記の順に重ね、固定具３を構成するリベット３で連結されるものである。ロックレバー３０はロック、アンロックを切り替え操作するための部材であり、これを横方向に回転操作してロック状態に動作させたときには４部材がロックの（固定された）状態となり、アンロック状態に動作させたときに出具合調節のための樋支持具本体２０のスライドが可能な状態となる。つまり、アンロック状態では、ロックレバー３０は軸位置が取付杆１０と変わらず一定の位置にとどまり、それらの間に挟まれた樋支持具本体２０のみがスライド移動する。
【００２０】
この軒樋支持具１には、樋支持具本体２０を取付杆１０に圧接固定してスライドをロックする一方、圧接を解除してアンロックするようにした、ロックレバー３０を有したロック機構が設けられている。
【００２１】
ロックレバー３０は、リベット３の軸部３ｃが貫通する挿通孔３２を有した基板部３１と、基板部３１の側端より下方に延設されたレバー部３３とを備えた構成とされる。この基板部３１におけるレバー部３３間の略中央位置にはロック状態を確定するための２つのロック凹部３４が形成されている。これらのロック凹部３４の略中央に挿通孔３２が開設されている。上述したように、基板部３１に設けた挿通孔３２は、一対のばね片３７を突合せ状態に対向配置することで形成されたリベット３用の軸孔である。ばね片３７については、図２および図３の説明とともに後述する。
【００２２】
ストッパー座金４０は、ロックレバー３０の基板部３１と略同形状、略同寸法の矩形状の板状体とされる。このストッパー座金４０の下面側の前後には、幅方向に長く、山形状に膨出した膨出部４２が形成してある。この膨出部４２の峰の中央には略半球状のへそ部４２ａが形成してある。また、ストッパー座金４０の中央にはリベット３の軸部３ｃが貫通する軸孔部４１が開設してある。
【００２３】
また、ストッパー座金４０の上面側には、軸孔部４１の前後の対称位置に樋支持具本体２０の下面に形成された凹凸部２４の凹部２４ａ（図４および図５参照）に係止される一対の係止片４３を備えている。
【００２４】
取付杆１０、樋支持具本体２０、ストッパー座金４０、ロックレバー３０の４部材をリベット３で連結し、ロックレバー３０を図１に示した向きに配したとき（ロック状態）には、後述する図４（ａ）に示すように、ストッパー座金４０の膨出部４２とロックレバー３０のロック凹部３４とが重なり、膨出部４２のへそ部４２ａがロック凹部３４の位置に合致する。本例では、ロック凹部３４が孔で形成されているため、図４（ａ）に示すように、へそ部４２ａは下面側に露出する。
【００２５】
取付杆１０は、軒先等に固定される取付足板１１の上端中央から前方に向けて足杆１２が延設され、この足杆１２の前方に段落ち形成された連結片部１３を有してなる。この連結片部１３には、下方に配設、重合する樋支持具本体２０、ストッパー座金４０、ロックレバー３０に対してリベット３で連結するための軸孔部１４が開設されている。
【００２６】
樋支持具本体２０は、長板状のスライド板本体２１の前後両端に、図１に示したような軒樋５を吊り下げ支持するための樋耳支持部２２を有している。なお、樋耳支持部２２は図例のものに限定されず、軒樋５の形状に応じて種々のものを採用できる。
【００２７】
また、スライド板本体２１の幅方向の中央には長手方向に沿って長孔２３が開設されている。この長孔２３は取付杆１０、ロックレバー３０の間に重合し、軸連結するための出具合調節用のスライド用孔である。
【００２８】
スライド板本体２１の板面の長孔２３の幅方向の両側には、長手方向に連続する凹凸部２４が形成されている。なお、本例の樋支持具本体２０では上下両面に連続凹凸が表出してあるが、連続凹凸が下面のみに形成されたものであってもよい。
【００２９】
この軒樋支持具１は、図１に示すように、取付杆１０、樋支持具本体２０、ストッパー座金４０およびロックレバー３０の４部材の各軸孔にリベット頭３ａを上にしてリベット３を挿通し、ロックレバー３０の基板部３１の下側に突出したリベット３の下端をかしめ止めすることで連結されるようになっている。ロック状態のときには、フランジ部３ａ、３ｂ間（リベット頭３ａと、かしめ部３ｂとの間）に、上記４部材が相互固定した状態で挟まれている。なお、図１には、かしめ部３ｂを２点鎖線で示した。
【００３０】
つぎに、図２および図３を参照して、ロックレバー３０について詳述する。
ロックレバー３０は、図２（ａ）の展開図に示すように、１枚の板材を加工してなり、基板部３１と、一対のレバー部３３とともに一体に形成されたものである。
【００３１】
このロックレバー３０は、図１に示すように、ロック状態ではレバー部３３が樋支持具本体２０の長手方向に対して平行となる。つまり、基板部３１の長手方向が前後方向に一致する。図１の例では、基板部３１の湾曲した端部が前方に配され、他の端部が後方に配されているが、ロックレバー３０は一方向、反方向への横回転が自在であるため、ロック状態で、湾曲した端部が後方に配され、他の端部が前方に配される場合もある。なお、操作のしやすさを考慮して、図例のように挿通孔３２が前後の一方側に寄って形成されていることが望ましい。
【００３２】
上述したように、基板部３１の前後のそれぞれにはロック凹部３４が形成されている。これらのロック凹部３４の前後方向の中間には、一方のレバー部３３の上部から基板部３１を介して他方のレバー部３３にいたるまで開口窓３５が形成されている。この開口窓３５内に、それぞれのレバー部３３側より延びてなるばね片３７が形成されている。
【００３３】
ばね片３７は図３（ａ）（ｂ）に示すように断面略Ｌ字状とされ、上面側に被押圧板部３７ａを備えており、両被押圧板部３７ａは先端部３７ｃどうしが突合せ状態となるように、わずかな隙間Ｓをはさんで対向している。この先端部３７ｃは図２に示すように平面視で凹湾曲しており、両先端部３７ｃの突合せにより略円形の挿通孔３２が形成されている。
【００３４】
ばね片３７は、被押圧板部３７ａの基端部（折曲部）３７ｄより下方に延び、開口窓３５のレバー部３３側の開口縁に連設された起立部３７ｂをさらに有しており、この起立部３７ｂと、被押圧板部３７ａとよりＬ字状片を構成している。
【００３５】
ばね片３７の被押圧板部３７ａは、起立部３７ｂとの折曲部（基端部３７ｄ）から先端部３７ｃに向けて降り傾斜している。つまり、図３（ａ）に示すように、先端部３７ｃどうしの突合せ部が下方に山状に突出している。ばね片３７のこの状態が、弾性エネルギーが畜勢されていない復帰状態である。
【００３６】
詳細については図４および図５を参照しながら後述するが、アンロック状態では図３（ａ）に示すように、被押圧板部３７ａはリベット３のフランジ部３ｂ（かしめ部３ｂ）により上方へ押圧されず、ばね片３７は復帰状態にあり、一方、ロック状態では図３（ｂ）に示すように（図２（ｃ）の底面図も参照）、被押圧板部３７ａはフランジ部３ｂにより上方へ押圧され、基板部３１と略同一平面となり、復帰弾性力が作用する状態となる。
【００３７】
ばね片３７は、レバー部３３側に起立部３７ｂが形成されているため、被押圧板部３７ａが押圧されることにより上方（図３（ａ）における縦矢印方向）へ移動するだけではなく、起立部３７ｂが相互に離れる方向（図３（ａ）における横矢印方向）にもわずかに変形することで、被押圧板部３７ａも相互に離れるように横矢印方向に移動する。
【００３８】
このように、ばね片３７はＬ字状に形成してあり、かつ基部である起立部３７ｂが変形のための逃げ部のように作用するので、被押圧板部３７ａが変形しやすくなっており、ばね片３７に適切な弾性を持たせられるようになっている。もちろん、ロックレバー３０の素材、形状、寸法などによっては、Ｌ字状のばね片３７が最適なものとは限らず、ばね片３７としては、起立部３７ｂを有さず、基板部３１の一部を切り起こした被押圧板部３７ａのみで構成されたものでもよい。
【００３９】
先端部３７ｃどうしの離間寸法（隙間Ｓの間隔寸法）は、被押圧板部３７ａが上方に押圧されたときに先端部３７ｃどうしが接触しないように調整されればよい。なお、本実施形態の場合、被押圧板部３７ａが相互に離れるように図３（ａ）の横矢印方向にわずかに移動するので、隙間Ｓの間隔は、ばね片３７が復帰状態においても、押圧された状態においても、ほとんど変わらない。
【００４０】
ついで、図４および図５を参照しながら、軒樋支持具１のロック／アンロック切り替え動作について説明する。
【００４１】
図４は、上記４部材がリベット３で連結された軒樋支持具１の概略底面図である。図４（ａ）はロック状態、図４（ｂ）はアンロック状態での各概略底面図である。また、ロック状態に対応した軒樋支持具１の概略縦断面図が図５（ａ）であり、アンロック状態に対応した軒樋支持具１の概略縦断面図が図７（ｂ）である。なお、図４（ａ）（ｂ）および図５（ａ）（ｂ）の各図は模式図である。また、図５（ｂ）のロックレバー３０は図４（ｂ）の２点鎖線で示したものに対応している。
【００４２】
ロック状態とは、図４（ａ）および図５（ａ）に示すように、ロックレバー３０の基板部３１の長手方向が、図１のように樋支持具本体２０の長手方向に合致した状態であり、その状態では、取付杆１０、樋支持具本体２０、ストッパー座金４０、ロックレバー３０の４部材は固定されている。一方、アンロック状態とは、図４（ｂ）および図５（ｂ）に示すように、ロックレバー３０の基板部３１の長手方向が樋支持具本体２０の長手方向に正しく向いていない状態であり、上記４部材は固定が解除された状態にある。
【００４３】
さらに具体的には、ロック状態とは、ロックレバー３０の基板部３１がストッパー座金４０の膨出部４２に乗り上げ、基板部３１のロック凹部３４に膨出部４２のへそ部４２ａが入り込み、かつストッパー座金４０の係止片４３が凹凸部２４の凹部２４ａに入りこみ係止された状態位置を言う（図４（ａ）および図５（ａ）参照）。このとき、樋支持具本体２０、ストッパー座金４０およびロックレバー３０の基板部３１は相互に圧接固定されている。
【００４４】
また、アンロック状態とは、ロックレバー３０の基板部３１がストッパー座金４０の膨出部４２から外れた状態位置を言う（図４（ｂ）および図５（ｂ）参照）。このとき、樋支持具本体２０、ストッパー座金４０およびロックレバー３０の基板部３１は相互の圧接固定が解除された状態にある。
【００４５】
なお、ロックレバー３０の回転角度がわずかな場合（ロック凹部３４がへそ部４２ａからずれている場合）は、ロックレバー３０の基板部３１の一部が膨出部４２に乗り上げたままの状態であり、ほぼロックされた状態であるが、このような状態で軒樋５が設置されることはなく、またスライド操作がなされることもない。換言すれば、ロックレバー３０の基板部３１が膨出部４２に乗り上げて図４（ａ）の位置でロックされる構成であれば、へそ部４２ａが形成されていないストッパー座金４０およびロック凹部３４が形成されていないロックレバー３０を用いてもよい。
【００４６】
軒樋支持具１がロック状態にあるときには、図５（ａ）に示すように、ばね片３７がフランジ部３ｂに直接的に押圧されて、つまり両フランジ部３ａ、３ｂが協働して、ばね片３７が変形した状態となっている。一方、アンロック状態のときには、圧接固定が解除されているので、図５（ｂ）に示すように、ばね片３７は復帰状態にある。
【００４７】
図５（ａ）において２点鎖線で示したように、かしめ部３ｂが傾いて形成されている場合には、ロック状態であっても、かしめ部３ｂ（フランジ部３ｂ）の一部（図中の左側）がばね片３７から離れた状態にあるが、他の一部（図中の右側）は他方のばね片３７を押圧しているため、ばね性（弾性復帰力）が発現することとなる。よって、ロック状態のときに部材間に弛みが発生するおそれはほとんどない。つまり、リベット３が挿通される挿通孔３２の周囲を一対のばね片３７の先端部３７ｃで取り囲んでいるため、ロック状態のときに、ロックが外れないような弾性力をばね片３７に発揮させることができる。
【００４８】
以上のように、ばね片３７はリベット３のかしめ部３ｂ側に取り付ける場合に特に有効である。本軒樋支持具１のように、ロック状態、アンロック状態を繰り返し切り替えることでかしめ部３ｂとばね片３７の位置関係が変動するものでは、ばね片３７が上述した構成となっているためロック状態でばね片３７はほぼ確実に弾発力が作用する。なお、リベット頭３ａ側をフランジ部としてばね片３７を押圧する構成であってもよい。
【符号の説明】
【００４９】
１            軒樋支持具
３            リベット（固定具）
３ａ          リベット頭（フランジ部）
３ｂ          かしめ部（フランジ部）
５            軒樋
１０          取付杆
２０          樋支持具本体
２２          樋耳支持部
３０          ロックレバー
３１          基板部
３２          挿通孔
３３          レバー部
３４          ロック凹部
３５          開口窓
３７          ばね片
３７ａ        被押圧板部
３７ｂ        起立部
３７ｃ        先端部
３７ｄ        基端部
Ｓ            隙間
４０          ストッパー座金
【図１】
2018003370.tif 000003
【図２】
2018003370.tif 000004
【図３】
2018003370.tif 000005
【図４】
2018003370.tif 000006
【図５】
2018003370.tif 000007
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
建築構造物に固定される取付杆と、該取付杆に対してスライド可能に連結され、板状に形成され長手方向の両端部に樋耳支持部を有した樋支持具本体と、横方向に回動されるロックレバーとを備え、これらを重ねて上下に貫通する固定具で連結し、前記樋支持具本体が前記取付杆に対して前後方向の所望の位置で固定されるようにした軒樋支持具において、
前記固定具は、その両端部に、前記取付杆と前記樋支持具本体と前記ロックレバーとを重合状態で挟持するフランジ部を備えており、
前記ロックレバーは、前記樋支持具本体と略平行に配された基板部と、すくなくとも該基板部の一部を加工してなる一対のばね片とを一体に備えており、
前記ばね片は、突合せ状態となるように対向して突出した被押圧板部を有し、該被押圧板部の対向した先端部どうしの突合せにより該先端部間に前記固定具が挿通される挿通孔が形成されており、前記ばね片が復帰状態のときには、前記被押圧板部どうしの突合せ部が下方に山状に突出しており、
前記ロックレバーの回転操作によりロック状態とアンロック状態とに切り替えが自在とされており、
前記ロック状態のときには、前記ばね片は前記被押圧板部が前記フランジ部により押圧されて弾性変形する一方、前記アンロック状態のときには、前記ばね片が前記復帰状態となることを特徴とする軒樋支持具。
【請求項２】
請求項１において、
前記ロックレバーの前記基板部には、幅方向の端部より下方に折曲延出された一対のレバー部が形成され、該レバー部から前記基板部を介して他のレバー部にいたる開口窓が形成されており、
前記ばね片は、前記被押圧板部の基端部より下方に延び、前記開口窓の前記レバー部側の開口縁に連設された起立部をさらに有し、全体としてＬ字状に一体形成されていることを特徴とする軒樋支持具。
【手続補正２】
【補正対象書類名】明細書
【補正対象項目名】０００８
【補正方法】変更
【補正の内容】
【０００８】
上記目的を達成するために、請求項１に記載の軒樋支持具は、建築構造物に固定される取付杆と、該取付杆に対してスライド可能に連結され、板状に形成され長手方向の両端部に樋耳支持部を有した樋支持具本体と、横方向に回動されるロックレバーとを備え、これらを重ねて上下に貫通する固定具で連結し、樋支持具本体が取付杆に対して前後方向の所望の位置で固定されるようにした軒樋支持具において、固定具は、その両端部に、取付杆と樋支持具本体とロックレバーとを重合状態で挟持するフランジ部を備えており、ロックレバーは、樋支持具本体と略平行に配された基板部と、すくなくとも基板部の一部を加工してなる一対のばね片とを一体に備えており、ばね片は、突合せ状態となるように対向して突出した被押圧板部を有し、被押圧板部の対向した先端部どうしの突合せにより先端部間に固定具が挿通される挿通孔が形成されており、ばね片が復帰状態のときには、被押圧板部どうしの突合せ部が下方に山状に突出しており、ロックレバーの回転操作によりロック状態とアンロック状態とに切り替えが自在とされており、ロック状態のときには、ばね片は被押圧板部がフランジ部により押圧されて弾性変形する一方、アンロック状態のときには、ばね片が復帰状態となることを特徴とする。
【手続補正３】
【補正対象書類名】明細書
【補正対象項目名】０００９
【補正方法】変更
【補正の内容】
【０００９】
請求項２に記載の軒樋支持具は、ロックレバーの前記基板部には、幅方向の端部より下方に折曲延出された一対のレバー部が形成され、レバー部から前記基板部を介して他のレバー部にいたる開口窓が形成されており、ばね片は、被押圧板部の基端部より下方に延び、開口窓のレバー部側の開口縁に連設された起立部をさらに有し、全体としてＬ字状に一体形成されていることを特徴とする。